(57)【要約】【課題】部品の数を減らして構造を簡単にしたガンマ電圧の発生装置を提供すること。【解決手段】 本発明のガンマ電圧の発生装置は、それぞれのモードに対応して輝度の値が変化できるように多数の赤色のガンマ電圧を発生すると共に、前記多数の赤色のガンマ電圧を調節するための少なくとも一つ以上の可変抵抗を含む赤色のガンマ電圧の発生部と、それぞれのモードに対応して輝度の値が変化できるように多数の緑色のガンマ電圧を発生すると共に前記多数の緑色のガンマ電圧を調節するための少なくとも一つ以上の可変抵抗を含む緑色のガンマ電圧の発生部と、それぞれのモードに対応して輝度の値が変化できるように多数の青色のガンマ電圧を発生すると共に前記多数の緑色のガンマ電圧を調節するための少なくとも一つ以上の可変抵抗を含む青色のガンマ電圧の発生部とを備える。【選択図】 図５
2005049881.tif 000002
【特許請求の範囲】
【請求項１】
外部環境に対応して輝度の値が変化できるように多様なモードに作動されるガンマ電圧の発生装置において、
前記それぞれのモードに対応して前記輝度の値が変化できるように多数の赤色のガンマ電圧を発生すると共に前記多数の赤色のガンマ電圧を調節するための少なくとも一つ以上の可変抵抗を含む赤色のガンマ電圧の発生部と、
前記それぞれのモードに対応して前記輝度の値が変化できるように多数の緑色のガンマ電圧を発生すると共に前記多数の緑色のガンマ電圧を調節するための少なくとも一つ以上の可変抵抗を含む緑色のガンマ電圧の発生部と、
前記それぞれのモードに対応して前記輝度の値が変化できるように多数の青色のガンマ電圧を発生すると共に前記多数の緑色のガンマ電圧を調節するための少なくとも一つ以上の可変抵抗を含む青色のガンマ電圧の発生部と、を含むことを特徴とするガンマ電圧の発生装置。
【請求項２】
前記赤色、緑色及び青色のガンマ電圧の発生部の各々は、供給電圧源と、前記供給電圧源に接続される第１抵抗及び可変抵抗と、前記可変抵抗と基底電圧源との間に並列に接続されるｉ（ｉは自然数）個の並列抵抗と、を含むことを特徴とする請求項１記載のガンマ電圧の発生装置。
【請求項３】
前記第１抵抗及び可変抵抗の間の第１共通端子から第１グレーレベルに対応するガンマ電圧が発生され、さらに、前記第１共通端子と基底電圧源との間に並列に接続される前記可変抵抗及びｉ個の並列抵抗の共通端子から第２グレーレベルに対応するガンマ電圧が発生されることを特徴とする請求項２記載のガンマ電圧の発生装置。
【請求項４】
前記ｉ個の並列抵抗と前記基底電圧源との間に複数のスイッチが設置されることを特徴とする請求項３記載のガンマ電圧の発生装置。
【請求項５】
前記それぞれのモードに対応して前記複数のスイッチが、ターン・オン及びターン・オフされて、前記スイッチがターン・オン及びターン・オフされる際に前記第１及び第２グレーレベルに対応するガンマ電圧の電圧の値が変化することを特徴とする請求項４記載のガンマ電圧の発生装置。
【請求項６】
前記第１抵抗、可変抵抗及びｉ個の並列抵抗の抵抗値は、前記赤色、緑色及び青色のガンマ電圧の発生部の各々において、異なって設定されることを特徴とする請求項２記載のガンマ電圧の発生装置。
【請求項７】
前記赤色、緑色及び青色のガンマ電圧の発生部のそれぞれに含まれた各抵抗の抵抗値は赤色のセル、緑色のセル及び青色のセルのホワイト・バランスが合うように設定されることを特徴とする請求項６記載のガンマ電圧の発生装置。
【請求項８】
外部環境に対応して輝度の値が変化できるように多様なモードに作動されるガンマ電圧の発生装置において、
前記それぞれのモードに対応して前記輝度の値が変化できるように多数の赤色のガンマ電圧を発生すると共に、前記多数の赤色のガンマ電圧を調節するための少なくとも一つ以上の可変抵抗を含めて前記可変抵抗素子と基底電圧源との間に直列接続された少なくとも二つ以上の抵抗素子により、前記それぞれのモードに対応する前記多数の赤色のガンマ電圧を発生する赤色のガンマ電圧の発生部と、
前記それぞれのモードに対応して前記輝度の値が変化できるように多数の緑色のガンマ電圧を発生すると共に、前記多数の緑色のガンマ電圧を調節するための少なくとも一つ以上の可変抵抗素子を含めて前記可変抵抗素子と基底電圧源との間に直列接続された少なくとも二つ以上の抵抗素子により、前記それぞれのモードに対応する前記多数の緑色のガンマ電圧を発生する緑色のガンマ電圧の発生部と、
前記それぞれのモードに対応して前記輝度の値が変化できるように多数の青色のガンマ電圧を発生すると共に、前記多数の青色のガンマ電圧を調節するための少なくとも一つ以上の可変抵抗素子を含めて前記可変抵抗素子と基底電圧源との間に直列接続された少なくとも二つ以上の抵抗素子により、前記それぞれのモードに対応する前記多数の青色のガンマ電圧を発生する青色のガンマ電圧の発生部と、を含んでいることを特徴とするガンマ電圧の発生装置。
【請求項９】
前記赤色、緑色及び青色のガンマ電圧の発生部の各々は、供給電圧源と、前記供給電圧源に接続される第１抵抗素子及び可変抵抗素子と、前記可変抵抗素子と基底電圧源との間に直列に接続されるｉ（ｉは自然数）個の直列抵抗素子と、を含むことを特徴とする請求項８記載のガンマ電圧の発生装置。
【請求項１０】
前記第１抵抗素子及び可変抵抗素子の間の共通端子から第１グレーレベルに対応するガンマ電圧が発生され、さらに前記可変抵抗素子と基底電圧源との間に直列接続されたｉ個の直列抵抗素子の間のそれぞれから第２グレーレベルに対応するガンマ電圧が発生されることを特徴とする請求項９記載のガンマ電圧の発生装置。
【請求項１１】
前記第２グレーレベルは、前記それぞれのモードに対応する前記ｉ個の直列抵抗素子の間のそれぞれから発生されることを特徴とする請求項１０記載のガンマ電圧の発生装置。
【請求項１２】
前記第１抵抗素子、可変抵抗素子及びｉ個の直列抵抗素子の抵抗値は、前記赤色、緑色及び青色のガンマ電圧の発生部の各々において、異なって設定されることを特徴とする請求項９記載のガンマ電圧の発生装置。
【請求項１３】
前記赤色、緑色及び青色のガンマ電圧の発生部のそれぞれに含まれた各抵抗素子の抵抗値は、赤色のセル、緑色のセル及び青色のセルのホワイト・バランスが合うように設定されることを特徴とする請求項１２記載のガンマ電圧の発生装置。
【発明の詳細な説明】
【技術分野】
【０００１】
本発明は、表示装置に利用されるガンマ電圧を発生する装置に関するもので、特に、部品の数を減らして構造を簡単にできるようにしたガンマ電圧の発生装置に関するものである。
【背景技術】
【０００２】
最近、陰極線管の短所である重さと嵩を減らすことができる各種の平板表示装置などが開発されている。このような平板表示装置としては液晶表示装置、電界放出表示装置（Field  Emission  Display Device）、プラズマ表示パネル及びエレクトロールミネセンス（以下、ＥＬという。）表示装置などがある。
【０００３】
これらの中のＥＬ表示装置は、電子と正孔の再結合で蛍光物質を発光させる自発光素子として、その蛍光体材料で無機化合物を使用する無機ＥＬ素子と有機化合物を使用する有機ＥＬ素子に大別される。このようなＥＬ表示装置は、液晶表示装置のように別途の光源を必要とする受動型の発光素子に比べて陰極線管のような速い応答速度を有する長所を有している。また、ＥＬ表示装置は、低電圧の駆動、自己発光、薄膜型、広い視野角、速い応答速度、高いコントラストなどの多い長所を有していて次の世代の表示装置として期待されている。
【０００４】
図１は、ＥＬ表示装置の発光原理を説明するための一般的な有機ＥＬ構造を図示した図面である。ＥＬ表示装置の中の有機ＥＬ素子は、陰極（２）と陽極（１4）の間に積層された電子注入層（４）、電子キャリア層（６）、発光層（８）、正孔キャリア層（１０）及び正孔注入層（１２）とを有する。
【０００５】
透明電極である陽極（１４）と金属電極である陰極（２）との間に電圧を印加すると、陰極（２）から発生された電子は、電子注入層（４）及び電子キャリア層（６）を通して発光層（８）側に移動する。また、陽極（１４）から発生された正孔は、正孔注入層（１２）及び正孔キャリア層（１０）を通して発光層（８）側に移動する。これにより、発光層（８）では、電子キャリア層（６）と正孔キャリア層（１０）から供給された電子と正孔が衝突して再結合することにより、光が発生するようになり、この光は、陽極（１4）を通して外部に放出されて画像が表示されるようになる。このような有機ＥＬ素子の発光輝度は、素子の両端にかかる電圧に比例するものではなく供給電流に比例するので、通常的に 陽極（１４）は正電流源に接続される。
【０００６】
図２は、一般的なＥＬ表示装置を図示した図面である。
図２に図示されたＥＬ表示装置は、各スキャン電極ライン（ＳＬ）と各データ電極ライン（ＤＬ）の交差部毎に配列された複数のＥＬセル（２８）を含むＥＬ表示パネル（２０）と、複数のスキャン電極ライン（ＳＬ）を駆動するためのスキャン・ドライバ（２２）と、複数のデータ電極ライン（ＤＬ）を駆動するためのデータ・ドライバ（２４）と、データ・ドライバ（２４）に多数のガンマ電圧を供給するガンマ電圧の発生部（２６）とを有する。
【０００７】
各ＥＬセル（２８）は、陰極であるスキャン電極ライン（ＳＬ）にスキャンパルスが印加される際に選択されて陽極であるデータ電極ライン（ＤＬ）に供給される画素信号、即ち電流信号に相応する光を発生するようになる。各ＥＬセル（２８）は、等価的にデータ電極ライン（ＤＬ）とスキャン電極ライン（ＳＬ）の間に接続されたダイオードとみなされる。このようなＥＬセル（２８）のそれぞれは、スキャン電極ライン（ＳＬ）に負極性のスキャンパルスが供給されると同時にデータ電極ライン（ＤＬ）にデータ信号による正極性の電流が印加されて順方向の電圧がかかる場合に発光するようになる。これとは異なり、選択されないスキャンラインに含まれる各ＥＬセル（２８）には逆方向の電圧が印加されることで発光しなくなる。言い替えれば、発光するＥＬセル（２８）には順方向の電荷が充電され、一方、発光しないＥＬセル（２８）には逆方向の電荷が充電される。スキャン・ドライバ（２２）は多数個のスキャン電極ライン（ＳＬ）に負極性のスキャンパルスをライン順次的に供給する。
【０００８】
データ・ドライバ（２４）は、外部から入力されたデジタル・データ信号をガンマ電圧の発生部（２６）からのガンマ電圧を利用してアナログ・データ信号に変換する。そして、データ・ドライバ（２４）は、アナログ・データ信号をスキャンパルスが供給される際にデータ電極ライン（ＤＬ）に供給する。
【０００９】
このように、従来のＥＬ表示装置は、入力データに比例する電流信号をＥＬセル（２８）のそれぞれに供給してそのＥＬセル（２８）を発光させることで画像を表示する。そして、各ＥＬセル（２８）は、カラー再現のために赤色（以下、Ｒという）の蛍光体を有するＲセルと、緑色（以下、Ｇという）の蛍光体を有するＧセルと、 青色（以下、Ｂという）の蛍光体を有するＢセルとで構成される。そして、三つのＲ，Ｇ，Ｂセルなどを組み合わせて一画素に対するカラーを実現する。ここでＲ，Ｇ，Ｂ蛍光体のそれぞれは、相互異なる発光効率を有している。言い替えれば、Ｒ，Ｇ，Ｂセルなどに同一のレベルのデータ信号を供給する場合、そのＲ，Ｇ，Ｂセルなどの輝度レベルは相互異なるようになる。これにより、Ｒ，Ｇ，ＢセルなどのホワイトバランスのためにＲ，Ｇ，Ｂ別に同一の輝度に対するガンマ電圧を相互異なるように設定している。従って、データ・ドライバ（２４）でガンマ電圧などを供給するガンマ電圧の発生部（２６）は、Ｒ，Ｇ，Ｂ別にガンマ電圧を発生する。
【００１０】
図３は図２に図示されたガンマ電圧の発生部を詳細に表す回路図である。
図３を参照すると、従来のガンマ電圧の発生部は、Ｒ，Ｇ，Ｂセル別にガンマ電圧をそれぞれ供給するためにＲガンマ電圧の発生部（３２）、Ｇガンマ電圧の発生部（３４）及びＢガンマ電圧の発生部（３６）を有する。
【００１１】
Ｒガンマ電圧の発生部（３２）は、供給電圧源（ＶＤＤ）と基底電圧源（ＧＮＤ）との間に直列に接続された分圧抵抗（ｒ＿Ｒ１，ｒ＿Ｒ２， ｒ＿Ｒ３）を有する。ここで、それぞれの分圧抵抗（ｒ＿Ｒ１，ｒ＿Ｒ２， ｒ＿Ｒ３）の共通端子（ｎ１，ｎ２）からの電圧がガンマ電圧としてデータ・ドライバ（２４）に入力される。この際、低いグレーレベルのＲガンマ電圧（ＶＨ＿Ｒ）は、次の式１によって発生されて、高いグレーレベルのＲガンマ電圧（ＶＬ＿Ｒ）は、次の式２によって発生される。
VH＿R＝[（ｒ＿Ｒ2＋ｒ＿Ｒ3）／（ｒ＿Ｒ1＋ｒ＿Ｒ2＋ｒ＿Ｒ3）]＊ＶＤＤ  (１）
VＬ＿R＝[（ｒ＿Ｒ3）／（ｒ＿Ｒ1＋ｒ＿Ｒ2＋ｒ＿Ｒ3）]＊ＶＤＤ          (２）
【００１２】
Ｇガンマ電圧の発生部（３４）は、供給電圧源（ＶＤＤ）と基底電圧源（ＧＮＤ）との間に直列に接続された分圧抵抗（ｒ＿Ｇ１，ｒ＿Ｇ２， ｒ＿Ｇ３）とを有する。ここで、それぞれの分圧抵抗（ｒ＿Ｇ１，ｒ＿Ｇ２， ｒ＿Ｇ３）の共通端子（ｎ３，ｎ４）からの電圧がガンマ電圧としてデータ・ドライバ（２４）に入力される。この際、低いグレーレベルのＧガンマ電圧（ＶＨ＿Ｇ）は、次の式３によって発生されて、高いグレーレベルのＧガンマ電圧（ＶＬ＿Ｇ）は、次の式４によって発生される。
VH＿Ｇ＝[（ｒ＿Ｇ2＋ｒ＿Ｇ3）／（ｒ＿Ｇ1＋ｒ＿Ｇ2＋ｒ＿Ｇ3）]＊ＶＤＤ
(３）
VＬ＿Ｇ＝[（ｒ＿Ｇ3）／（ｒ＿Ｇ1＋ｒ＿Ｇ2＋ｒ＿Ｇ3）]＊ＶＤＤ         (４）
【００１３】
Ｂガンマ電圧の発生部（３６）は、供給電圧源（ＶＤＤ）と基底電圧源（ＧＮＤ）との間に直列に接続された分圧抵抗（ｒ＿Ｂ１，ｒ＿Ｂ２， ｒ＿Ｂ３）を有する。ここで、それぞれの分圧抵抗（ｒ＿Ｂ１，ｒ＿Ｂ２， ｒ＿Ｂ３）の共通端子（ｎ５，ｎ６）からの電圧がガンマ電圧としてデータ・ドライバ（２４）に入力される。この際、低いグレーレベルのＢガンマ電圧（ＶＨ＿Ｂ）は、次の式５によって発生されて、高いグレーレベルのＢガンマ電圧（ＶＬ＿Ｂ）は、次の式６によって発生される。
VH＿Ｂ＝[（ｒ＿Ｂ2＋ｒ＿Ｂ3）／（ｒ＿Ｂ1＋ｒ＿Ｂ2＋ｒ＿Ｂ3）]＊ＶＤＤ  
(５）
VＬ＿Ｂ＝[（ｒ＿Ｂ3）／（ｒ＿Ｂ1＋ｒ＿Ｂ2＋ｒ＿Ｂ3）]＊ＶＤＤ         (６）
【００１４】
一方、このような従来のＥＬ表示装置は、輝度が多様な環境に対応して変化するように付加的に図４及び図５に示すようにモード別のガンマ電圧の発生部を有する。ここで、モード別のガンマ電圧の発生部に含まれる抵抗は、夜、昼、外部、内部などの環境（光）に対応する輝度を発生することができるようにその抵抗値が設定される。
【００１５】
例えば、図４に図示された第２モードのガンマ電圧の発生部におけるＲガンマ電圧の発生部（３２）は、供給電圧源（ＶＤＤ）と基底電圧源（ＧＮＤ）との間に直列に接続された分圧抵抗（ｒ＿Ｒ４，ｒ＿Ｒ５，ｒ＿Ｒ６）を有する。ここで、分圧抵抗（ｒ＿Ｒ４，ｒ＿Ｒ５，ｒ＿Ｒ６）の抵抗値は、図３のＲガンマ電圧の発生部（３２）に含まれた分圧抵抗（ｒ＿Ｒ１，ｒ＿Ｒ２，ｒ＿Ｒ３）の抵抗値と異なって設定される。
【００１６】
従って、第２モードのガンマ電圧の発生部から発生されたガンマ電圧値は、図３に図示されたＲガンマ電圧の発生部（３２）で発生されたガンマ電圧値と異なって設定されて、このガンマ電圧値を環境に対応させてＥＬ表示装置で供給することにより、ＥＬ表示装置で外部環境に対応する最適の輝度を発生することができるようにする。ここで、分圧抵抗（ｒ＿Ｒ７，ｒ＿Ｒ８， ｒ＿Ｒ９）の抵抗値は、図３及び図４のＲガンマ電圧の発生部（３２）に含まれた分圧抵抗（ｒ＿Ｒ１，ｒ＿Ｒ２，ｒ＿Ｒ３，ｒ＿Ｒ４，ｒ＿Ｒ５， ｒ＿Ｒ６）の抵抗値と異なって設定される。
【００１７】
しかし、このようにそれぞれのモードに対応されるガンマ電圧の発生部は、Ｒセルに供給される高いグレーレベルのＲガンマ電圧（ＶＬ＿Ｒ）及び低いグレーレベルのＲガンマ電圧（ＶＨ＿Ｒ）と、Ｇセルに供給される高いグレーレベルのＧガンマ電圧（ＶＬ＿Ｇ）及び低いグレーレベルのＧガンマ電圧（ＶＨ＿Ｇ）と、Ｂセルに供給される高いグレーレベルのＢガンマ電圧（ＶＬ＿Ｂ）及び低い グレーレベルのＢガンマ電圧（ＶＨ＿Ｂ）とを発生するべきである。即ち、Ｒセル、Ｇセル、Ｂセルのそれぞれに供給される高いグレーレベルのガンマ電圧（ＶＬ＿Ｒ，ＶＬ＿Ｇ，ＶＬ＿Ｂ）及び低いグレーレベルのガンマ電圧（ＶＨ＿Ｒ，ＶＨ＿Ｇ，ＶＨ＿Ｂ）などをすべて発生しなければならない。
【００１８】
このために、ガンマ電圧の発生部のＲ，Ｇ及びＢガンマ電圧の発生部（３２，３４，３６）は、それぞれ直列接続された三つの抵抗などの間で、高いグレーレベルのガンマ電圧（ＶＬ＿Ｒ，ＶＬ＿Ｇ，ＶＬ＿Ｂ）及び低いグレーレベルのガンマ電圧（ＶＨ＿Ｒ，ＶＨ＿Ｇ，ＶＨ＿Ｂ）を発生するので、モード別に９つの抵抗が設置される。従って、三つのモードが使用される場合に、従来のガンマ電圧の発生部は、全体で２7個の抵抗が設置されるべきである。これにより、ELモジュール上で部品の数が多くて構造が複雑になる問題点がある。
【発明の開示】
【発明が解決しようとする課題】
【００１９】
従って、本発明の目的は、部品の数を減らして簡単にできるようにした一ガンマ電圧の発生装置を提供することにある。
【課題を解決するための手段】
【００２０】
上記目的を達成するために、本発明の実施例による外部環境に対応して輝度の値が変化できるように多様なモードに作動されるガンマ電圧の発生装置において、それぞれのモードに対応して前記輝度の値が変化できるように多数の赤色のガンマ電圧を発生すると共に前記多数の赤色のガンマ電圧を調節するための少なくとも一つ以上の可変抵抗を含む赤色のガンマ電圧の発生部と、前記それぞれのモードに対応して前記輝度の値が変化できるように多数の緑色のガンマ電圧を発生すると共に前記多数の緑色のガンマ電圧を調節するための少なくとも一つ以上の可変抵抗を含む緑色のガンマ電圧の発生部と、それぞれのモードに対応して前記輝度の値が変化できるように多数の青色のガンマ電圧を発生すると共に前記多数の緑色のガンマ電圧を調節するための少なくとも一つ以上の可変抵抗を含む青色のガンマ電圧の発生部と、を有することを特徴とする。
【００２１】
前記ガンマ電圧の発生装置において、赤色、緑色及び青色のガンマ電圧の発生部のそれぞれは、供給電圧源と、前記供給電圧源に接続される第１抵抗及び可変抵抗と、前記可変抵抗と基底電圧源の間に並列に接続されるｉ（ｉは自然数）個の並列抵抗と、を有することを特徴とする。
【００２２】
前記ガンマ電圧の発生装置は、前記第１抵抗及び可変抵抗の間の第１共通端子から第１ グレーレベルに対応されるガンマ電圧を発生して、前記第１共通端子と基底電圧源との間に並列に接続される前記可変抵抗及びｉ個の並列抵抗の共通端子から第２グレーレベルに対応されるガンマ電圧が発生されることを特徴とする。
【００２３】
前記ガンマ電圧の発生装置は、前記ｉ個の並列抵抗と前記基底電圧源との間に複数のスイッチが設置されることを特徴とする。
前記ガンマ電圧の発生装置は、それぞれのモードに対応して複数のスイッチがターン・オン及びターン・オフして、前記スイッチがターン・オン及びターン・オフされる際に前記第１及び第２グラデーションに対応したガンマ電圧の電圧の値が変化することを特徴とする。
【００２４】
前記ガンマ電圧の発生装置において、前記第１抵抗、可変抵抗及びｉ個の並列抵抗の抵抗値は、前記赤色、緑色及び青色のガンマ電圧の発生部のそれぞれで異なって設定されることを特徴とする。
前記ガンマ電圧の発生装置において、前記赤色、緑色及び青色のガンマ電圧の発生部のそれぞれに含まれる抵抗の抵抗値は、赤色のセル、緑色のセル及び青色のセルのホワイトバランスが合うように設定されることを特徴とする。
【００２５】
本発明の実施例による外部環境に対応して輝度の値が変化できるように多様なモードに作動されるガンマ電圧の発生装置において、それぞれのモードに対応して前記輝度の値が変化できるように多数の赤色のガンマ電圧を発生すると共に、前記多数の赤色のガンマ電圧を調節するための少なくとも一つ以上の可変抵抗を含めて前記可変抵抗素子と基底電圧源の間に直列接続された少なくとも二つ以上の抵抗素子により、前記それぞれのモードに対応して前記多数の緑色のガンマ電圧を発生する赤色のガンマ電圧の発生部と、前記それぞれのモードに対応して前記輝度の値が変化できるように多数の緑色のガンマ電圧を発生すると共に前記多数の緑色のガンマ電圧を調節するための少なくとも一つ以上の可変抵抗素子を含めて、前記可変抵抗素子と基底電圧源の間に直列接続された少なくとも二つ以上の抵抗素子により、前記それぞれのモードに対応して前記多数の緑色のガンマ電圧を発生する緑色のガンマ電圧の発生部と、前記それぞれのモードに対応して前記輝度の値が変化できるように多数の青色のガンマ電圧を発生すると共に前記多数の緑色のガンマ電圧を調節するための少なくとも一つ以上の可変抵抗素子を含めて、前記可変抵抗素子と基底電圧源との間に直列接続された少なくとも二つ以上の抵抗素子により、前記それぞれのモードに対応して前記多数の青色のガンマ電圧を発生する青色のガンマ電圧の発生部と、を有することを特徴とする。
【００２６】
前記赤色、緑色及び青色のガンマ電圧の発生部のそれぞれは、供給電圧源と、前記供給電圧源に接続される第１抵抗素子及び可変抵抗素子と、前記可変抵抗素子と基底電圧源の間に直列に接続されるｉ（ｉは自然数）個の直列抵抗素子と、を有することを特徴とする。
【００２７】
本発明の実施例によるガンマ電圧の発生装置は、前記第１抵抗素子及び可変抵抗素子の間の第１共通端子から第１グレーレベルに対応したガンマ電圧が発生されて、前記第１可変抵抗素子と基底電圧源の間に直列接続されたｉ個の直列抵抗素子の間のそれぞれから第２グレーレベルに対応したガンマ電圧が発生されることを特徴とする請求項９記載のガンマ電圧の発生装置。
【００２８】
前記第２グレーレベルは、前記それぞれのモードに対応して前記ｉ個の直列抵抗素子の間のそれぞれから発生されることを特徴とする。
前記第１抵抗素子、可変抵抗素子及びｉ個の直列抵抗素子の抵抗値は、前記赤色、緑色及び青色のガンマ電圧の発生部のそれぞれで異なって設定されることを特徴とする。
【００２９】
前記赤色、緑色及び青色のガンマ電圧の発生部のそれぞれに含まれた抵抗素子の抵抗値は、赤色のセル、緑色のセル及び青色のセルのホワイトバランスが合うように設定されることを特徴とする。
【発明の効果】
【００３０】
本発明によるガンマ電圧の発生装置は、赤色、緑色及び青色のガンマ電圧の発生部のそれぞれにおいて部品の数を減らしてグレーレベルの表現ができるので、ＥＬモジュールの縮小が可能になり、構造が簡単になる。また、可変抵抗を利用することでガンマ電圧の発生装置は、多様なパネルの条件に効果的に対応できる。
【発明を実施するための最良の形態】
【００３１】
以下、図６及び図７を参照して本発明の好ましい実施例に対して説明する。
図６は、本発明の第１実施例によるガンマ電圧の発生装置を表す回路図である。
【００３２】
図６を参照すると、本発明の第１実施例によるガンマ電圧の発生装置は、Ｒ，Ｇ，Ｂセル別にガンマ電圧をそれぞれ供給するために、Ｒガンマ電圧の発生部（４２）、Ｇガンマ電圧の発生部（４４）及びＢガンマ電圧の発生部（４６）を有する。ここで、本発明のＲ，Ｇ，Ｂガンマ電圧の発生部（４２，４４，４６）のそれぞれは、外部環境に対応するように多様なモードのガンマ電圧を発生する。
【００３３】
Ｒガンマ電圧の発生部（４２）は、低いグレーレベル（Black）及び高いグレーレベル（White）を表現するために、低いグレーレベルのＲガンマ電圧（ＶＨ＿Ｒ）及び高いグレーレベルのＲガンマ電圧（ＶＬ＿Ｒ）を発生してＲセルに供給する。このために、Ｒガンマ電圧の発生部（４２）は、供給電圧源（ＶＤＤ）に直列接続された第１分圧抵抗（Ｒ１）及び第１可変抵抗（ＶＲ１）と、第１可変抵抗（ＶＲ１）及び基底電圧源（ＧＮＤ）の間に並列接続された第２及び第３分圧抵抗（Ｒ２，Ｒ３）と、第２分圧抵抗（Ｒ２）及び基底電圧源（ＧＮＤ）の間に接続された第１スイッチ（Ｓ１）と、第３分圧抵抗（Ｒ２）及び基底電圧源（ＧＮＤ）の間に接続された第２スイッチ（Ｓ２）と、を有する。ここで、第１可変抵抗（ＶＲ１）を利用することにより、ガンマ電圧の発生装置は、各種のパネルの条件に効果的に対応できる。言い替えれば、第１可変抵抗（ＶＲ１）を利用することでパネルの解像図の変更または材質の変更に対して弾力的に対応することができる。
【００３４】
Ｇガンマ電圧の発生部（４４）は、低いグレーレベル（Black）及び高いグレーレベル（White）を表現するために、低いグレーレベルのＧガンマ電圧（ＶＨ＿Ｇ）及び高いグレーレベルのＧガンマ電圧（ＶＬ＿Ｇ）を発生してＧセルに供給する。このために、Ｇガンマ電圧の発生部（４４）は、供給電圧源（ＶＤＤ）に直列接続された第１１分圧抵抗（Ｒ１１）及び第２可変抵抗（ＶＲ２）と、第２可変抵抗（ＶＲ２）及び基底電圧源（ＧＮＤ）の間に並列接続された第１２及び第１３分圧抵抗（Ｒ１２，Ｒ１３）と、第１２分圧抵抗（Ｒ１２）及び基底電圧源（ＧＮＤ）の間に接続された第１スイッチ（Ｓ１）と、第１３分圧抵抗（Ｒ１３）及び基底電圧源（ＧＮＤ）の間に接続された第２スイッチ（Ｓ２）と、を有する。ここで、第２可変抵抗（ＶＲ２）を利用することにより、ガンマ電圧の発生装置は、各種のパネルの条件に効果的に対応できる。言い替えれば、第２可変抵抗（ＶＲ２）を利用することでパネルの解像図の変更または材質の変更に対して弾力的に対応できる。
【００３５】
Ｂガンマ電圧の発生部（４６）は低いグレーレベル（Black）及び高いグレーレベル（White）を表現するために、低いグレーレベルのＢガンマ電圧（ＶＨ＿Ｂ）及び高いグレーレベルのＢガンマ電圧（ＶＬ＿Ｂ）を発生してＢセルに供給する。このために、Ｂガンマ電圧の発生部（４６）は供給電圧源（ＶＤＤ）に直列接続された第２１分圧抵抗（Ｒ２１）及び第３可変抵抗（ＶＲ３）と、第３可変抵抗（ＶＲ３）及び基底電圧源（ＧＮＤ）の間に並列接続された第２２及び第２３分圧抵抗（Ｒ２２，Ｒ２３）と、第２２分圧抵抗（Ｒ２２）及び基底電圧源（ＧＮＤ）の間に接続された第１スイッチ（Ｓ１）と、第２３分圧抵抗（Ｒ２３）及び基底電圧源（ＧＮＤ）の間に接続された第２スイッチ（Ｓ２）と、を有する。ここで、第３可変抵抗（ＶＲ３）を利用することでガンマ電圧の発生装置は、多様なパネルの条件に効果的に対応できる。言い替えれば、第３可変抵抗（ＶＲ３）を利用することでパネルの解像図の変更または物質の変更などに対して弾力的に対応できる。
【００３６】
一方、第１モードは、第１及び第２スイッチ（Ｓ１，Ｓ２）がターン・オフされる際に自動に選択される。従って、第１モードの選択の際に低いグレーレベルのＲガンマ電圧（ＶＨ＿Ｒ）及び高いグレーレベルのＲガンマ電圧（ＶＬ＿Ｒ）は、供給電圧源（ＶＤＤ）及び基底電圧源（ＧＮＤ）の間に直列接続された第１分圧抵抗（Ｒ１）及び第１可変抵抗（ＶＲ１）によって、電圧が分圧して発生される。そして、第１モードの選択の際に低いグレーレベルのＧガンマ電圧（ＶＨ＿G）及び高いグレーレベルのＧガンマ電圧（ＶＬ＿G）は、供給電圧源（ＶＤＤ）及び基底電圧源（ＧＮＤ）の間に直列接続された第１１分圧抵抗（Ｒ１１）及び第２可変抵抗（ＶＲ２）によって、電圧が分圧して発生される。また、第１モードの選択の際に低いグレーレベルのＢガンマ電圧（ＶＨ＿Ｂ）及び高いグレーレベルのＢガンマ電圧（ＶＬ＿Ｂ）は供給電圧源（ＶＤＤ）及び基底電圧源（ＧＮＤ）の間に直列接続された第２１分圧抵抗（Ｒ２１）及び第３可変抵抗（ＶＲ３）によって電圧が分圧して発生される。
【００３７】
ここで、Ｒ，Ｇ，Ｂガンマ電圧の発生部（４２，４４，４６）により発生された高いグレーレベルＲ，Ｇ及びＢガンマ電圧など（ＶＬ＿Ｒ，ＶＬ＿Ｇ，ＶＬ＿Ｂ）は高いグレーレベル即ち、ホワイト（White）を表現する場合（Ｒ，Ｇ及びＢセルのグレーレベルが合わせられてホワイトが表現される）、Ｒセル、Ｇセル及びＢセルのそれぞれの発光効率に対応されて輝度の差が発生するのでＲセル、Ｇセル及びＢセルのそれぞれに供給される高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）などはホワイトバランスが合うように設定される。この際、高いグレーレベル即ち、ホワイト（White）を表現する場合、第１乃至第３可変抵抗（ＶＲ１乃至ＶＲ３）を利用して高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）を各種のパネルの条件に効果的に対応できるように流動的に調節することができる。
【００３８】
第２モードの選択の際には、第１スイッチ（Ｓ１）がターン・オンされる。第１スイッチ（Ｓ１）がターン・オンされると、Ｒガンマ電圧の発生部（４２）には、第１分圧抵抗（Ｒ１）と基底電圧源（ＧＮＤ）の間に第１可変抵抗（ＶＲ１）及び第２分圧抵抗（Ｒ２）の並列抵抗値が現れる。即ち、抵抗値が第１モードと異なってくる。従って、第２モードの選択の際に低いグレーレベルのＲガンマ電圧（ＶＨ＿Ｒ）及び高いグレーレベルのＲガンマ電圧（ＶＬ＿Ｒ）は、供給電圧源（ＶＤＤ）に直列接続された第１分圧抵抗（Ｒ１）と第１分圧抵抗（Ｒ１）及び基底電圧源（ＧＮＤ）の間に並列接続された第１可変抵抗（ＶＲ１）及び第２分圧抵抗（Ｒ２）の並列抵抗値によって、電圧が分圧して発生される。
【００３９】
そして、第１スイッチ（Ｓ１）がターン・オンされると、Ｇガンマ電圧の発生部（４４）には、第１１分圧抵抗（Ｒ１１）と基底電圧源（ＧＮＤ）の間に第２可変抵抗（ＶＲ２）及び第１２分圧抵抗（Ｒ１２）の並列抵抗値が現れる。即ち、抵抗値が第１モードと異なってくる。従って、第２モードの選択の際に低いグレーレベルのＧガンマ電圧（ＶＨ＿Ｇ）及び高いグレーレベルのＧガンマ電圧（ＶＬ＿Ｇ）は、供給電圧源（ＶＤＤ）に接続された第１１分圧抵抗（Ｒ１１）と第１１分圧抵抗（Ｒ１１）及び基底電圧源（ＧＮＤ）の間に並列接続された第２可変抵抗（ＶＲ２）及び第１２分圧抵抗（Ｒ１２）の並列抵抗値によって電圧が分圧して発生される。
【００４０】
また、 第１スイッチ（Ｓ１）がターン・オンされると、Ｂガンマ電圧の発生部（４６）には、第１１抵抗（Ｒ１１）と基底電圧源（ＧＮＤ）の間に第３可変抵抗（ＶＲ３）及び第２２分圧抵抗（Ｒ２２）の並列抵抗値が現れる。即ち、抵抗値が第１モードと異なってくる。従って、第２モードの選択の際に低いグレーレベルのＢガンマ電圧（ＶＨ＿Ｂ）及び高いグレーレベルのＢガンマ電圧（ＶＬ＿Ｂ）は、供給電圧源（ＶＤＤ）に接続された第２１分圧抵抗（Ｒ２１）と第２１分圧抵抗（Ｒ２１）及び基底電圧源（ＧＮＤ）の間に並列接続された第３可変抵抗（ＶＲ３）及び第２２分圧抵抗（Ｒ２２）の並列抵抗値によって、電圧が分圧して発生される。
【００４１】
ここで、Ｒ，Ｇ，Ｂガンマ電圧の発生部（４２，４４，４６）により発生された高いグレーレベルＲ，Ｇ及びＢガンマ電圧（ＶＬ＿Ｒ，ＶＬ＿Ｇ，ＶＬ＿Ｂ）は、高いグレーレベル即ち、ホワイト（White）を表現する場合、Ｒセル、Ｇセル及びＢセルのそれぞれの発光効率に対応して輝度の差が発生するので、Ｒセル、Ｇセル及びＢセルのそれぞれに供給される高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）は、ホワイト・バランスが合うように設定される。この際、高いグレーレベル即ち、ホワイト（White）を表現する場合、第１乃至第３可変抵抗（ＶＲ１乃至ＶＲ３）を利用して高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）を各種のパネルの条件に効果的に対応できるように流動的に調節することができる。
【００４２】
第３モードの選択の際には、第１及び第２スイッチ（Ｓ１、Ｓ２）がターン・オンされる。第１及び第２スイッチ（Ｓ１、Ｓ２）がターン・オンされると、Ｒガンマ電圧の発生部（４２）には、第１分圧抵抗（Ｒ１）と基底電圧源（ＧＮＤ）の間に第１可変抵抗（ＶＲ１）、第２及び第３分圧抵抗（Ｒ２、Ｒ３）の並列抵抗値が現れる。即ち、抵抗値が第１及び第２モードと異なってくる。従って、第３モードの選択の際に低いグレーレベルのＲガンマ電圧（ＶＨ＿Ｒ）及び高いグレーレベルのＲガンマ電圧（ＶＬ＿Ｒ）は、供給電圧源（ＶＤＤ）と接続された第１分圧抵抗（Ｒ１）と第１分圧抵抗（Ｒ１）及び基底電圧源（ＧＮＤ）の間に並列接続された第１可変抵抗（ＶＲ１）、第２及び第３分圧抵抗（Ｒ２、Ｒ３）の並列抵抗値によって、電圧が分圧して発生される。
【００４３】
そして、第１及び第２スイッチ（Ｓ１、Ｓ２）がターン・オンされると、Ｇガンマ電圧の発生部（４４）には、第１１分圧抵抗（Ｒ１１）と基底電圧源（ＧＮＤ）の間に第２可変抵抗（ＶＲ２）、第１２及び第１３分圧抵抗（Ｒ１２、Ｒ１３）の並列抵抗値が現れる（即ち、抵抗値が第１及び第２モードと異なってくる）。
【００４４】
従って、第３モードの選択の際に低いグレーレベルのＧガンマ電圧（ＶＨ＿Ｇ）及び高い グレーレベルのＧガンマ電圧（ＶＬ＿Ｇ）は、供給電圧源（ＶＤＤ）と接続された第１１分圧抵抗（Ｒ１１）と第１１分圧抵抗（Ｒ１１）及び基底電圧源（ＧＮＤ）との間に並列接続された第２可変抵抗（ＶＲ２）及び第１２及び第１３分圧抵抗（Ｒ１２、Ｒ１３）の並列抵抗値によって電圧が分圧して発生される。また、 第１及び第２スイッチ（Ｓ１、Ｓ２）がターン・オンされると、Ｂガンマ電圧の発生部（４４）には、第２１抵抗（Ｒ２１）と基底電圧源（ＧＮＤ）の間に第３可変抵抗（ＶＲ３）、第２２及び第２３分圧抵抗（Ｒ２２、Ｒ２３）の並列抵抗値が現れる。即ち、抵抗値が第１及び第２モードと異なってくる。
【００４５】
従って、第３モードの選択の際に低いグレーレベルのＢガンマ電圧（ＶＨ＿Ｂ）及び高い グレーレベルのＢガンマ電圧（ＶＬ＿Ｂ）は、供給電圧源（ＶＤＤ）に接続された第２１分圧抵抗（Ｒ２１）と第２１分圧抵抗（Ｒ２１）及び基底電圧源（ＧＮＤ）との間に並列接続された第３可変抵抗（ＶＲ３）、第２２及び第２３分圧抵抗（Ｒ２２、Ｒ２３）の並列抵抗値によって、電圧が分圧して発生される。
【００４６】
ここで、Ｒ，Ｇ，Ｂガンマ電圧の発生部（４２，４４，４６）により発生された高い グレーレベルＲ，Ｇ及びＢガンマ電圧（ＶＬ＿Ｒ，ＶＬ＿Ｇ，ＶＬ＿Ｂ）は高い グレーレベル即ち、ホワイト（White）を表現する場合、Ｒセル、Ｇセル及びＢセルのそれぞれの発光効率に対応して輝度の差が発生するので、Ｒセル、Ｇセル及びＢセルのそれぞれに供給される高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）は、ホワイトバランスが合うように設定される。
【００４７】
この際、高いグレーレベル即ち、ホワイト（White）を表現する場合、第１乃至第３可変抵抗（ＶＲ１乃至ＶＲ３）を利用して高いグレーレベルのＲガンマ電圧（ＶＬ＿Ｒ）、高いグレーレベルのＧガンマ電圧（ＶＬ＿Ｇ）及び高いグレーレベルのＢガンマ電圧（ＶＬ＿Ｂ）を各種のパネルの条件に効果的に対応できるように流動的に調節することができる。
【００４８】
一方、Ｒ，Ｇ，Ｂガンマ電圧の発生部（４２，４４，４６）により発生された低いグレーレベルＲガンマ電圧（ＶＨ＿Ｒ ）、 低い グレーレベルＧガンマ電圧（ＶＨ＿Ｇ）、低い グレーレベルのＢガンマ電圧（ＶＨ＿Ｂ）によって低いグレーレベル、即ち、ブラック（Black）を表現する場合、（Ｒ，Ｇ及びＢセルのグレーレベルが合わせられてブラックが表現される）第１乃至第３モード別にＲセル、Ｇセル及びＢセルに供給される低いグレーレベルのＲガンマ電圧（ＶＨ＿Ｒ）、低いグレーレベルのＧガンマ電圧（ＶＨ＿Ｇ）、低いグレーレベルのＢガンマ電圧（ＶＨ＿Ｂ）の電圧差があっても目で認識しにくいために大きく影響を及ぼさない。
【００４９】
このような本発明の第１実施例によるガンマ電圧の発生装置は、Ｒ，Ｇ及びＢガンマ電圧の発生部（４２，４４，４６）のそれぞれで、第１乃至第３モードを選択することができるようにして、選択されたモードに当たる多数のガンマ電圧を発生する。こうして発生されたガンマ電圧を、図１に図示されたデータ・ドライバに供給する。データ・ドライバは、多数のガンマ電圧の中に入力されたデジタル・データ信号に対応するガンマ電圧を利用してアナログ・データ信号を発生して、発生されたアナログ・データ信号をスキャン信号に同期するようにデータライン（ＤＬ）に供給することにより、ＥＬパネルで所定の画像を表示できるようにする。
【００５０】
図７は、本発明の第２実施例によるガンマ電圧の発生装置を表す回路図である。
図７を参照すると、本発明の第２実施例によるガンマ電圧の発生装置は、Ｒ，Ｇ，Ｂセル別にガンマ電圧をそれぞれ供給するためにＲガンマ電圧の発生部（１４２）、Ｇガンマ電圧の発生部（１４４）及びＢガンマ電圧の発生部（１４６）を有する。ここで、本発明のＲ，Ｇ，Ｂガンマ電圧の発生部（１４２，１４４，１４６）のそれぞれは、外部環境に対応するように多様なモードのガンマ電圧を発生する。
【００５１】
Ｒガンマ電圧の発生部（１４２）は、低いグレーレベル（Black）及び高いグレーレベル（White）を表現するために、低いグレーレベルのＲガンマ電圧（ＶＨ＿Ｒ）及び高いグレーレベルのＲガンマ電圧（ＶＬ＿Ｒ）を発生してＲセルに供給する。このために、Ｒガンマ電圧の発生部（１４２）は、供給電圧源（ＶＤＤ）に直列接続された第１及び第２分圧抵抗（Ｒ１０１、Ｒ１０２）と、第２分圧抵抗（Ｒ１０２）及び基底電圧源（ＧＮＤ）の間に直列接続された第３及び第４分圧抵抗（Ｒ１０３，Ｒ１０４）と、を有する。
【００５２】
ここで、 第２分圧抵抗（Ｒ１０２）は、可変抵抗を利用することにより、ガンマ電圧の発生装置は各種のパネルの条件に効果的に対応できる。一方、 第１及び第２モードの低いグレーレベルのＲガンマ電圧は（ＶＨ＿Ｒ＿モード１／２）は、ブラック（Black）を表現するので同一のガンマ電圧を供給しても輝度の差が大きく発生しない。これにより、第１分圧抵抗（Ｒ１０１）と第２分圧抵抗（Ｒ１０２）との間の共通端子（n１）で出力される第１及び第２モードの低いグレーレベルのＲガンマ電圧（ＶＨ＿Ｒ＿モード１／２）をＲセルに供給して低いグラデーションを表現する。この際、低いグラデーションを表現するためにＲセルに供給される第１及び第２モードの低いグレーレベルのＲガンマ電圧（ＶＨ＿Ｒ＿モード１／２）は、次の式７により発生される。
【００５３】
【数１】
2005049881.tif 000003
【００５４】
そして、第１モードの高いグレーレベルのＲガンマ電圧（ＶＬ＿Ｒ＿モード１）は、パネルの条件に対応する第２分圧抵抗（Ｒ１０２）即ち、可変抵抗のいずれか一つの支点で出力され、この電圧をＲセルに供給することで高いグレーレベルを表現する。この際、第１モードの高いグレーレベルを表現するために、Ｒセルに供給される第１モードの高いグレーレベルのＲガンマ電圧（ＶＬ＿Ｒ＿モード１）は、次の式８により発生される。
【００５５】
【数２】
2005049881.tif 000004
【００５６】
また、第２モードの高いグレーレベルのＲガンマ電圧（ＶＬ＿Ｒ＿モード２）は、パネルの条件に対応する第１モードの高いグレーレベルのＲガンマ電圧（ＶＬ＿Ｒ＿モード１）と基底電圧源（ＧＮＤ）との間に接続された第３及び第4分圧抵抗（Ｒ１０３，Ｒ１０４）の共通の端子（n２）に出力され、この電圧をＲセルに供給して高いグレーレベルを表現する。この際、第２モードの高いグレーレベルを表現するために、Ｒセルに供給される第２モードの高い グレーレベルのＲガンマ電圧（ＶＬ＿Ｒ＿モード２）は次の式９により発生される。
VL＿R＿モード２＝[（Ｒ4）／（R３+R4）] * VL＿R＿モード１              (９）
【００５７】
Ｇガンマ電圧の発生部（１４４）は、低いグレーレベル（Black）及び高いグレーレベル（White）を表現するために、低いグレーレベルのＧガンマ電圧（ＶＨ＿Ｇ）及び高いグレーレベルのＧガンマ電圧（ＶＬ＿Ｇ）を発生してＧセルに供給する。このために、Ｇガンマ電圧の発生部（１４４）は、供給電圧源（ＶＤＤ）に直列接続された第１１及び第１２分圧抵抗（Ｒ２１１，Ｒ２１２）と、第１２分圧抵抗（Ｒ２１２）及び基底電圧源（ＧＮＤ）の間に直列接続された第１３及び第１４分圧抵抗（Ｒ２１３，Ｒ２１４）と、を有する。
【００５８】
ここで、第１２分圧抵抗（Ｒ２１２）は可変抵抗を使用することにより、ガンマ電圧の発生装置は、各種のパネル条件に効果的に対応できる。一方、第１モード及び第２モードの低いグレーレベルのＧガンマ電圧（ＶＨ＿Ｇ＿モード１／２）は、ブラック（Black）を表現するので同一のガンマ電圧を供給しても輝度の差が大きく発生しない。これにより、第１１分圧抵抗（Ｒ２１１）と第１２分圧抵抗（Ｒ２１２）との間の共通端子（n１１）で出力される第１及び第２モードの低いグレーレベルのＧガンマ電圧（ＶＨ＿Ｇ＿モード１／２）をＧセルに供給して低いグレーレベルを表現する。この際、低いグレーレベルを表現するために、Ｇセルに供給される第１及び第２モードの低いグレーレベルのＧガンマ電圧（ＶＨ＿Ｇ＿モード１／２）は、次の式１０により発生される。
【００５９】
【数３】
2005049881.tif 000005
【００６０】
そして、第１モードの高いグレーレベルのＧガンマ電圧（ＶＬ＿Ｇ＿モード１）は、パネルの条件に対応する第１２分圧抵抗（Ｒ２１２）即ち、可変抵抗のいずれか一つの支点で出力され、この電圧をＧセルに供給して高いグレーレベルを表現する。この際、第１モードの高いグレーレベルを表現するために、Ｇセルに供給される第１モードの高いグレーレベルのＧガンマ電圧（ＶＬ＿Ｇ＿モード１）は、次の式１１により発生される。
【００６１】
【数４】
2005049881.tif 000006
【００６２】
また、第２モードの高いグレーレベルのＧガンマ電圧（ＶＬ＿Ｇ＿モード２）は、パネルの条件に対応する第１モードの高いグレーレベルのＧガンマ電圧（ＶＬ＿Ｇ＿モード１）と基底電圧源（ＧＮＤ）の間に接続された第１３及び第１4分圧抵抗（Ｒ２１３，Ｒ２１４）の共通の端子（n１２）で出力され、この電圧をＧセルに供給して高いグレーレベルを表現する。この際、第２モードの高いグレーレベルを表現するために、Ｇセルに供給される第２モードの高いグレーレベルのＧガンマ電圧（ＶＬ＿Ｇ＿モード２）は、次の式１２により発生される。
VL＿G＿モード２＝[（R１4）／（R１３+R１4）] * VL＿G＿モード１        (１２）
【００６３】
Ｂガンマ電圧の発生部（１４６）は、低いグレーレベル（Black）及び高いグレーレベル（White）を表現するために、低いグレーレベルのＢガンマ電圧（ＶＨ＿Ｂ）及び高いグレーレベルのＢガンマ電圧（ＶＬ＿Ｂ）を発生してＢセルに供給する。このために、Ｂガンマ電圧の発生部（１４６）は、供給電圧源（ＶＤＤ）に直列接続された第２１及び第２２分圧抵抗（Ｒ３２１，Ｒ３２２）と、第２２分圧抵抗（Ｒ３２２）及び基底電圧源（ＧＮＤ）の間に直列接続された第２３及び第２４分圧抵抗（Ｒ３２３，Ｒ３２４）と、を有する。
【００６４】
ここで、第２２分圧抵抗（Ｒ３２２）は、可変抵抗を使用することによって、ガンマ電圧の発生装置は、各種のパネル条件に効果的に対応できる。一方、第１モード及び第２モードの低いグレーレベルのＢガンマ電圧（ＶＨ＿Ｂ＿モード１／２）は、ブラック（Black）を表現するので、同一のガンマ電圧を供給しても輝度の差が大きく発生しない。
【００６５】
これにより、第２１分圧抵抗（Ｒ３２１）と第２２分圧抵抗（Ｒ３２２）との間の共通端子（n２１）で出力される第１及び第２モードの低いグレーレベル電圧（ＶＨ＿Ｂ＿モード１／２）をＢセルに供給して、低いグレーレベルを表現する。この際、低いグレーレベルを表現するために、Ｂセルに供給される第１及び第２モードの低いグレーレベルのＢガンマ電圧（ＶＨ＿Ｂ＿モード１／２）は、次の式１３により発生される。
【００６６】
【数５】
2005049881.tif 000007
【００６７】
そして、第１モードの高いグレーレベルのＢガンマ電圧（ＶＬ＿Ｂ＿モード１）は、パネルの条件に対応する第２２分圧抵抗（Ｒ３２２）即ち、可変抵抗のいずれか一つの支点で出力され、この電圧をＢセルに供給して高いグレーレベルを表現する。この際、第１モードの高いグレーレベルを表現するためにＢセルに供給される第１モードの高いグレーレベルのＢガンマ電圧（ＶＬ＿Ｂ＿モード１）は、次の式１４により発生される。
【００６８】
【数６】
2005049881.tif 000008
【００６９】
また、第２モードの高いグレーレベルのＢガンマ電圧（ＶＬ＿Ｂ＿モード２）は、パネルの条件に対応して、第１モードの高いグレーレベルＢガンマ電圧（ＶＬ＿Ｇ＿モード１）と基底電圧源（ＧＮＤ）の間に接続された第２３及び第２4分圧抵抗（Ｒ３２３，Ｒ３２４）の共通の端子（n２２）で出力され、この電圧をＢセルに供給して高いグレーレベルを表現する。この際、第２モードの高いグレーレベルを表現するために、Ｂセルに供給される第２モードの高いグレーレベルのＢガンマ電圧（ＶＬ＿Ｂ＿モード２）は、次の式１５により発生される。
VL＿B＿モード２＝[（R２4）／（R２３+R２4）] * VL＿Ｂ＿モード１        (１５）
【００７０】
一方、第１モードの選択の際にＲ，Ｇ，Ｂガンマ電圧の発生部（１４２，１４４，１４６）によって発生された高いグラデーションＲ，Ｇ及びＢガンマ電圧（ＶＬ＿Ｒ＿モードｌ，ＶＬ＿Ｇ＿モードｌ，ＶＬ＿Ｂ＿モードｌ）は、高いグレーレベル即ち、ホワイト（White）を表現する場合（Ｒ，Ｇ及びＢセルのグレーレベルが合わせられてホワイトが表現される。）Ｒセル、Ｇセル及びＢセルのそれぞれの発光の効率に対応して輝度の差が発生するので、Ｒセル、Ｇセル及びＢセルのそれぞれに供給される高いグレーレベルのＲガンマ電圧（ＶＬ＿Ｒ＿モードｌ）、高いグレーレベルのＧガンマ電圧（ＶＬ＿Ｇ＿モードｌ）及び高いグレーレベルのＢガンマ電圧（ＶＬ＿Ｂ＿モードｌ）は、ホワイトバランスが合うように設定される。
【００７１】
第２モードの選択の際にＲ，Ｇ，Ｂガンマ電圧の発生部（１４２，１４４，１４６）によって発生された高いグレーレベルＲ，Ｇ及びＢガンマ電圧など（ＶＬ＿Ｒ＿モード２，ＶＬ＿Ｇ＿モード２，ＶＬ＿Ｂ＿モード２）は、高いグレーレベル即ち、ホワイト（White）を表現する場合、Ｒセル、Ｇセル及びＢセルのそれぞれの発光の効率に対応して輝度の差が発生するので、Ｒセル、Ｇセル及びＢセルのそれぞれに供給される高いグレーレベルのＲガンマ電圧（ＶＬ＿Ｒ＿モード２）、高いグレーレベルのＧガンマ電圧（ＶＬ＿Ｇ＿モード２）及び高いグレーレベルのＢガンマ電圧（ＶＬ＿Ｂ＿モード２）は、ホワイトバランスが合うように設定される。
【００７２】
一方、Ｒ，Ｇ，Ｂガンマ電圧の発生部（１４２，１４４，１４６）によって発生された第１及び第２モードの低いグレーレベルのＲガンマ電圧（ＶＬ＿Ｒ＿モード１／２）、第１及び第２モード低いグレーレベルのＧガンマ電圧（ＶＬ＿Ｇ＿モード１／２）、 第１及び第２モードの低いグレーレベルのＢガンマ電圧（ＶＬ＿Ｂ＿モード１／２）は、低いグレーレベル即ち、ブラック（Black）を表現する場合（Ｒ，Ｇ及びＢセルのグレーレベルが合わせられてブラックが表現される。）、電圧の差があっても目で認識しにくいために大きく影響を及ぼさない。
【００７３】
このように本発明の第２実施例によるガンマ電圧の発生装置は、Ｒ，Ｇ，Ｂガンマ電圧の発生部（１４２，１４４，１４６）のそれぞれにおいて、第１及び第２モードを選択することができるよう、に選択されたモードに当たる多数のガンマ電圧を発生する。この際、高いグレーレベルの表現の際に可変抵抗を利用することで、各種のパネルの条件に対応することができる。このように発生されたガンマ電圧を図１に図示されたデータ・ドライバで供給する。データ・ドライバは、多数のガンマ電圧の中に入力されたデジタル・データ信号に対応するガンマ電圧を利用してアナログ・データ信号を発生し、発生されたアナログ・データ信号をスキャン信号に同期されるようにデータライン（ＤＬ）に供給することでＥＬパネルで所定の画像を表示する。
【００７４】
以上説明した内容を通して当業者であれば、本発明の技術思想を逸脱しない範囲で多様な変更及び修正が可能であることがわかる。従って、本発明の技術的の範囲は詳細な説明に記載された内容に限らず特許請求の範囲により定めなければならない。
【図面の簡単な説明】
【００７５】
【図１】典型的な有機エレクトロ・ルミネセンス素子の構造を示した断面図である。
【図２】従来の有機エレクトロ・ルミネセンス表示パネルの駆動装置を示した図である。
【図３】第１モードの選択の際に図２に図示されたガンマ電圧の発生部を詳細に表す回路図である。
【図４】第２モードの選択の際に図２に図示されたガンマ電圧の発生部を詳細に表す回路図である。
【図５】第３モードの選択の際に図２に図示されたガンマ電圧の発生部を詳細に表す回路図である。
【図６】本発明の第１実施例によるガンマ電圧の発生装置の回路図である。
【図７】本発明の第２実施例によるガンマ電圧の発生装置の回路図である。
【符号の説明】
【００７６】
２：陰極
４：電子注入層
６：電子キャリア層
８：発光層
１０：正孔キャリア層
１２：正孔注入層
１４：陽極
２０：エレクトロ・ルミネセンス・パネル
２２：スキャン・ドライバ
２４：データ・ドライバ
２６：ガンマ電圧の発生部
２８：ＥＬセル
３０：セル駆動部
３２，４２，１４２：赤色のガンマ電圧の発生部
３３，４４，１４４：緑色のガンマ電圧の発生部
３６，４６，１４６：青色のガンマ電圧の発生部
【図１】
2005049881.tif 000009
【図２】
2005049881.tif 000010
【図３】
2005049881.tif 000011
【図４】
2005049881.tif 000012
【図５】
2005049881.tif 000013
【図６】
2005049881.tif 000014
【図７】
2005049881.tif 000015